【事件の表示】
　特許第６５０４０５３号発明「信号処理装置、開封検出モジュール、プログラム、開封検出方法及び物品包装材」の特許異議申立事件について、次のとおり決定する。
【結　論】
　特許第６５０４０５３号の特許請求の範囲を訂正請求書に添付された訂正特許請求の範囲のとおり、訂正後の請求項〔１〜６、９〜１１〕、７、８、１２、１３、１４について訂正することを認める。
　特許第６５０４０５３号の請求項１、４〜６、９〜１４に係る特許を維持する。
　特許第６５０４０５３号の請求項２、３に係る特許についての特許異議の申立てを却下する。
【理　由】
第１　手続の経緯
　特許第６５０４０５３号（以下、「本件特許」という。）の請求項１〜１４に係る特許についての出願は、平成３１年４月５日にその特許権の設定登録がされ、同年４月２４日に掲載公報が発行された。そして、令和元年１０月２３日に特許異議申立人田中理恵子（以下、「申立人」という。）より請求項１〜６、９〜１４に係る特許に対して特許異議の申立てがされ、その後の手続の経緯は以下のとおりである。
　令和２年　２月１９日付け　取消理由通知
　　　同年　４月２７日　　　意見書（特許権者）、訂正請求書の提出
　　　同年　７月２８日　　　意見書（申立人）の提出
　　　同年　９月２４日付け　訂正拒絶理由通知
　　　同年１０月２８日　　　意見書（特許権者）、手続補正書の提出
　　　同年１２月１１日付け　取消理由通知（決定の予告）
　令和３年　３月　２日　　　意見書（特許権者）、訂正請求書の提出
　　　同年　４月　２日　　　意見書（申立人）の提出
　なお、令和２年４月２７日提出の訂正請求書による訂正の請求は、特許法第１２０条の５第７項の規定により、取り下げられたものとみなす。
　
第２　訂正の適否
１．本件訂正の内容
　令和３年３月２日提出の訂正請求書による訂正（以下、「本件訂正」という。）の内容は、以下のとおりである（なお、下線は訂正箇所である。）。
（１）訂正事項１
　特許請求の範囲の請求項１に、
「プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する、
　信号処理装置。」
とあるのを、
「プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記１つ以上の信号線は、共通線から分岐する１つ以上の分岐線であり、
　
前記１つ以上の分岐線それぞれは、前記１つ以上の収容部それぞれと一対一に対応し、
　前記検出部は、
所定のパルス幅を有するパルス信号を前記共通線へ送出し、前記パルス
前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　信号処理装置。」
に訂正する（請求項１の記載を引用する請求項４〜６，９〜１１も同様に訂正する。）。
（２）訂正事項２
　特許請求の範囲の請求項４に、
「前記検出部は、前記第１の収容部が開封されたことを一度検出した後、前記第１の領域を経由する前記第１の信号が帰還するかを判定しない、請求項１に記載の信号処理装置。」
とあるのを、
「前記検出部は、
前記１つ以上の収容部のうちの
前記第１の収容部に対応する分岐線を伝搬する前記パルス信号
に訂正する。
（３）訂正事項３
　特許請求の範囲の請求項２を削除する。
（４）訂正事項４
　特許請求の範囲の請求項３を削除する。
（５）訂正事項５
　特許請求の範囲の請求項７に、
「前記物品は、医薬品であり、
　前記プロセッサは、予め取得される服用計画データに従って、各収容部に収納される医薬品を服用すべきタイミングをユーザへ報知する報知制御部、としてさらに機能する、
　請求項１に記載の信号処理装置。」
とあるのを、
「
プログラムを実行するプロセッサと、
　
物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
前記物品は、医薬品であり、
　前記プロセッサは、予め取得される服用計画データに従って、各収容部に収納される医薬品を服用すべきタイミングをユーザへ報知する報知制御部、としてさらに機能する、
　
に訂正する。
（６）訂正事項６
　特許請求の範囲の請求項８に、
「前記物品は、医薬品であり、
　前記プロセッサは、前記検出部により各収容部について記録される開封時刻データを用いて判定される前記医薬品の服用ミスをユーザへ報知する報知制御部、としてさらに機能する、
　請求項１に記載の信号処理装置。」
とあるのを、
「
プログラムを実行するプロセッサと、
　
物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
前記物品は、医薬品であり、
　前記プロセッサは、前記検出部により各収容部について記録される開封時刻データを用いて判定される前記医薬品の服用ミスをユーザへ報知する報知制御部、としてさらに機能する、
　
に訂正する。
（７）訂正事項７
　特許請求の範囲の請求項１２に、
「信号処理装置のプロセッサを、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出するものであり、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する検出部、
　として機能させるためのプログラム。」
とあるのを、
「信号処理装置のプロセッサを、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する
検出部として機能させるためのプログラムであって、
　
前記１つ以上の信号線は、共通線から分岐する１つ以上の分岐線であり、
　
前記１つ以上の分岐線それぞれは、前記１つ以上の収容部それぞれと一対一に対応し、
　
前記プログラムは、前記プロセッサを、
　
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　として機能させるためのプログラム。」
に訂正する。
（８）訂正事項８
　特許請求の範囲の請求項１３に、
「物品を収容するための１つ以上の収容部を有するパッケージの前記１つ以上の収容部にそれぞれ対応する領域を通過するように破断可能な材質で形成される１つ以上の信号線へ信号を送出することと、
　送出した信号が各領域を経由して帰還するかに基づいて、各収容部の開封を検出することと、
　を含み、
　各収容部の開封を検出する際に、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する、
　信号処理装置のプロセッサにより実行される開封検出方法。」
とあるのを、
「物品を収容するための１つ以上の収容部を有するパッケージの前記１つ以上の収容部にそれぞれ対応する領域を通過するように破断可能な材質で形成される１つ以上の信号線へ信号を送出することと、
　送出した信号が各領域を経由して帰還するかに基づいて、各収容部の開封を検出することと、
　を含み、
　
前記１つ以上の信号線は、共通線から分岐する１つ以上の分岐線であり、
　
前記１つ以上の分岐線それぞれは、前記１つ以上の収容部それぞれと一対一に対応し、
　各収容部の開封を検出する際に、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　信号処理装置のプロセッサにより実行される開封検出方法。」
に訂正する。
（９）訂正事項９
　特許請求の範囲の請求項１４に、
「物品を収容するための１つ以上の収容部を有するパッケージと、
　前記パッケージの前記１つ以上の収容部にそれぞれ対応する領域を通過するように、破断可能な材質で形成される１つ以上の信号線と、
　前記１つ以上の信号線へ信号を送出し、送出した信号が各領域を経由して帰還するかに基づいて、各収容部の開封を検出する開封検出モジュールと、
　を備え、
　前記開封検出モジュールは、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する、
　物品包装材。」
とあるのを、
「物品を収容するための１つ以上の収容部を有するパッケージと、
　前記パッケージの前記１つ以上の収容部にそれぞれ対応する領域を通過するように、破断可能な材質で形成される１つ以上の信号線と、
　前記１つ以上の信号線へ信号を送出し、送出した信号が各領域を経由して帰還するかに基づいて、各収容部の開封を検出する開封検出モジュールと、
　を備え、
　
前記１つ以上の信号線は、共通線から分岐する１つ以上の分岐線であり、
　
前記１つ以上の分岐線それぞれは、前記１つ以上の収容部それぞれと一対一に対応し、
　前記開封検出モジュールは、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　物品包装材。」
に訂正する。
２．本件訂正の適否
（１）一群の請求項について
　訂正事項１〜６に係る訂正前の請求項１〜１１について、請求項２〜１１は、訂正事項１によって記載が訂正される請求項１を直接又は間接的に引用するものであるから、本件訂正前の請求項１〜１１は、特許法第１２０条の５第４項に規定する一群の請求項である。
（２）訂正事項１について
　訂正事項１は、訂正前の請求項１に記載の「１つ以上の信号線」について、「共通線から分岐する１つ以上の分岐線であ」ること、及び「前記１つ以上の分岐線それぞれは、前記１つ以上の収容部それぞれと一対一に対応し」ていると限定するとともに、請求項１記載の、「検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する」について、「検出部は、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ
パルス
が帰
前記パルス信号の帰還が認識されなかった分岐線に対応する
　そして、これらの限定は訂正前の請求項３並びに本件特許明細書の段落【００１７】、【００２４】、【００２９】及び図２，６の記載された事項といえるから、訂正事項１は、願書に添付した明細書、特許請求の範囲又は図面に記載した事項の範囲内において訂正されたものであり、また、特許請求の範囲を拡張し、又は変更するものではない。
　よって、訂正事項１は、特許法第１２０条の５第９項で準用する同法第１２６条第５項及び第６項の規定に適合するものである。
（３）訂正事項２について
　訂正事項２は、その訂正の対象である請求項４が、引用する請求項１が訂正され、「第１の収容部」、「第１の領域」及び「第１の信号」の用語を用いなくなったことに伴い、訂正前の請求項４の「前記第１の収容部」及び「前記第１の領域を経由する前記第１の信号」の記載を、それぞれ「前記１つ以上の収容部のうちの第１の収容部」及び「前記第１の収容部に対応する分岐線を伝搬する前記パルス信号」と訂正することにより、「第１の収容部」、「第１の領域」及び「第１の信号」の用語を用いずに訂正前の請求項４の内容を表現したものであるから、特許法第１２０条の５第２項ただし書第３号に規定する「明瞭でない記載の釈明」を目的とする訂正である。
　そして、訂正事項２は、願書に添付した明細書、特許請求の範囲又は図面に記載した事項の範囲内において訂正されたものであり、また、特許請求の範囲を拡張し、又は変更するものではない。
　よって、訂正事項２は、特許法第１２０条の５第９項で準用する同法第１２６条第５項及び第６項の規定に適合するものである。
（４）訂正事項３、４について
　訂正事項３、４は、それぞれ、訂正前の請求項２、３を削除するものであるから、特許法第１２０条の５第２項ただし書第１号に規定する「特許請求の範囲の減縮」を目的とする訂正である。
　そして、訂正事項３、４は、願書に添付した明細書、特許請求の範囲又は図面に記載した事項の範囲内において訂正されたものであり、また、特許請求の範囲を拡張し、又は変更するものではない。
　よって、訂正事項３、４は、特許法第１２０条の５第９項で準用する同法第１２６条第５項及び第６項の規定に適合するものである。
（５）訂正事項５、６について
　訂正事項５、６は、それぞれ、本件訂正前の請求項１の記載を引用する請求項７、８の記載を請求項１を引用しないものとするものであるから、特許法第１２０条の５第２項ただし書第４項に規定する「他の請求項の記載を引用する請求項の記載を当該他の請求項の記載を引用しないものとすること」を目的とする訂正である。
　そして、訂正事項５、６は願書に添付した明細書、特許請求の範囲又は図面に記載した事項の範囲内において訂正されたものであり、また、特許請求の範囲を拡張し、又は変更するものではない。
　よって、訂正事項５、６は、特許法第１２０条の５第９項で準用する同法第１２６条第５項及び第６項の規定に適合するものである。　
（６）訂正事項７について
　訂正事項７は、訂正前の請求項１２の「開封を検出するものであり、」の記載を「開封を検出する検出部として機能させるためのプログラムであって、」と改め、「１つ以上の信号線」について、「共通線から分岐する１つ以上の分岐線であ」ること、及び「前記１つ以上の分岐線それぞれは、前記１つ以上の収容部それぞれと一対一に対応し」ていると限定するとともに、「第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する検出部」について、「
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　そして、これらの限定等は、訂正前の請求項３並びに本件特許明細書の段落【００１７】、【００２４】、【００２９】及び図２、６の記載された事項といえるから、訂正事項７は、願書に添付した明細書、特許請求の範囲又は図面に記載した事項の範囲内において訂正されたものであり、また、特許請求の範囲を拡張し、又は変更するものではない。
　よって、訂正事項７は、特許法第１２０条の５第９項で準用する同法第１２６条第５項及び第６項の規定に適合するものである。　
（７）訂正事項８について
　訂正事項８は、訂正前の請求項１３の「１つ以上の信号線」について、「共通線から分岐する１つ以上の分岐線であ」ること、及び「前記１つ以上の分岐線それぞれは、前記１つ以上の収容部それぞれと一対一に対応し」ていると限定するとともに、「各収容部の開封を検出する際に、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する」について、「各収容部の開封を検出する際に、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　そして、これら限定は、訂正前の請求項３及び本件特許明細書の段落【００１７】、【００２４】、【００２９】及び図２，６の記載された事項といえるから、訂正事項８は、願書に添付した明細書、特許請求の範囲又は図面に記載した事項の範囲内において訂正されたものであり、また、特許請求の範囲を拡張し、又は変更するものではない。
　よって、訂正事項８は、特許法第１２０条の５第９項で準用する同法第１２６条第５項及び第６項の規定に適合するものである。
（８）訂正事項９について
　訂正事項９は、訂正前の請求項１４の「１つ以上の信号線」について、「共通線から分岐する１つ以上の分岐線であ」ること、及び「前記１つ以上の分岐線それぞれは、前記１つ以上の収容部それぞれと一対一に対応し」ていると限定するとともに、「開封検出モジュールは、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出する」について、「開封検出モジュールは、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ、
パルス
が帰
前記パルス信号の帰還が認識されなかった分岐線に対応する
　そして、これら限定は訂正前の請求項３及び本件特許明細書の段落【００１７】、【００２４】、【００２９】及び図２，６の記載された事項といえるから、訂正事項９は、願書に添付した明細書、特許請求の範囲又は図面に記載した事項の範囲内において訂正されたものであり、また、特許請求の範囲を拡張し、又は変更するものではない。
　よって、訂正事項９は、特許法第１２０条の５第９項で準用する同法第１２６条第５項及び第６項の規定に適合するものである
（９）小活
　以上のとおり、本件訂正は、特許法第１２０条の５第２項ただし書第１、３、４号に掲げる事項を目的とするものであり、かつ、同条第４項及び同条第９項において準用する同法第１２６条第５項及び第６項の規定に適合する。そして、訂正後の請求項７、８については、当該請求項についての訂正が認められる場合には、一群の請求項の他の請求項とは別の訂正単位とすることを求めるものであるところ、訂正後の〔１〜６、９〜１１〕、７、８、１２、１３、１４について訂正を認める。
第３　訂正後の本件発明
　上記のとおり、本件訂正は認められたので、請求項１〜１４に係る発明（以下、それぞれ「本件特許発明１〜１４」といい、まとめて「本件特許発明」ということもある。）は、令和３年３月２日提出の訂正請求書に添付された訂正特許請求の範囲の請求項１〜１４に記載された事項により特定される、次のとおりのものである。
「【請求項１】
　プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　前記１つ以上の信号線は、共通線から分岐する１つ以上の分岐線であり、
　前記１つ以上の分岐線それぞれは、前記１つ以上の収容部それぞれと一対一に対応し、
　前記検出部は、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出する、
　信号処理装置。
【請求項２】（削除）
【請求項３】（削除）
【請求項４】
　前記検出部は、前記１つ以上の収容部のうちの第１の収容部が開封されたことを一度検出した後、前記第１の収容部に対応する分岐線を伝搬する前記パルス信号が帰還するかを判定しない、請求項１に記載の信号処理装置。
【請求項５】
　前記プロセッサは、前記検出部により各収容部について記録される開封時刻データを、
通信インタフェースを介して外部装置へ出力するデータ出力部、としてさらに機能する、
請求項１に記載の信号処理装置。
【請求項６】
　前記検出部は、前記通信インタフェースを介して予め取得されるユーザの識別子に関連付けて、前記開封時刻データを記録する、請求項５に記載の信号処理装置。
【請求項７】
　プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
　前記物品は、医薬品であり、
　前記プロセッサは、予め取得される服用計画データに従って、各収容部に収納される医薬品を服用すべきタイミングをユーザへ報知する報知制御部、としてさらに機能する、
　信号処理装置。
【請求項８】
　プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
　前記物品は、医薬品であり、
　前記プロセッサは、前記検出部により各収容部について記録される開封時刻データを用いて判定される前記医薬品の服用ミスをユーザへ報知する報知制御部、としてさらに機能する、
　信号処理装置。
【請求項９】
　請求項１に記載の信号処理装置と、
　前記信号処理装置を前記１つ以上の信号線に接続させるための１つ以上の接続端子と、
　を備える開封検出モジュール。
【請求項１０】
　請求項１に記載の信号処理装置と、
　前記信号処理装置により記録されるデータを外部装置へ送信する通信インタフェースと、
　を備える開封検出モジュール。
【請求項１１】
　前記通信インタフェースは、無線通信インタフェースであり、
　前記開封検出モジュールは、前記無線通信インタフェースにより使用されるアンテナ、
をさらに備える、
　請求項１０に記載の開封検出モジュール。
【請求項１２】
　信号処理装置のプロセッサを、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部として機能させるためのプログラムであって、
　前記１つ以上の信号線は、共通線から分岐する１つ以上の分岐線であり、
　前記１つ以上の分岐線それぞれは、前記１つ以上の収容部それぞれと一対一に対応し、
　前記プログラムは、前記プロセッサを、
　所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出する検出部、
　として機能させるためのプログラム。
【請求項１３】
　物品を収容するための１つ以上の収容部を有するパッケージの前記１つ以上の収容部にそれぞれ対応する領域を通過するように破断可能な材質で形成される１つ以上の信号線へ信号を送出することと、
　送出した信号が各領域を経由して帰還するかに基づいて、各収容部の開封を検出することと、
　を含み、
　前記１つ以上の信号線は、共通線から分岐する１つ以上の分岐線であり、
　前記１つ以上の分岐線それぞれは、前記１つ以上の収容部それぞれと一対一に対応し、
　各収容部の開封を検出する際に、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出する、
　信号処理装置のプロセッサにより実行される開封検出方法。
【請求項１４】
　物品を収容するための１つ以上の収容部を有するパッケージと、
　前記パッケージの前記１つ以上の収容部にそれぞれ対応する領域を通過するように、破断可能な材質で形成される１つ以上の信号線と、
　前記１つ以上の信号線へ信号を送出し、送出した信号が各領域を経由して帰還するかに基づいて、各収容部の開封を検出する開封検出モジュールと、
　を備え、
　前記１つ以上の信号線は、共通線から分岐する１つ以上の分岐線であり、
　前記１つ以上の分岐線それぞれは、前記１つ以上の収容部それぞれと一対一に対応し、
　前記開封検出モジュールは、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出する、
　物品包装材。」
第４　取消理由通知（決定の予告）に記載した取消理由について
１．取消理由の概要
　当審が、令和２年１２月１１日付けで通知した取消理由通知（決定の予告）に記載した取消理由の概要は、次のとおりである。
（１）請求項１〜６及び９〜１４に係る発明は、本件特許の優先日前に日本国内又は外国において、頒布され又は電気通信回線を通じて公衆に利用可能となった下記の文献１に記載された発明及び文献２〜４，６に記載された技術に基いて、本件特許の優先日前にその発明の属する技術の分野における通常の知識を有する者が容易に発明をすることができたものであるから、請求項１〜６及び９〜１４に係る特許は、特許法第２９条第２項の規定に違反してされたものであり、取り消されるべきものである。 
（２）請求項１〜６及び９〜１４に係る発明は、本件特許の優先日前に日本国内又は外国において、頒布された下記の文献５に記載された発明及び文献２〜４，６に記載された技術に基いて、本件特許の優先日前にその発明の属する技術の分野における通常の知識を有する者が容易に発明をすることができたものであるから、請求項１〜６及び９〜１４に係る特許は、特許法第２９条第２項の規定に違反してされたものであり、取り消されるべきものである。 
（３）請求項１〜６及び９〜１４に係る発明は、本件特許の優先日前に日本国内又は外国において、頒布された下記の文献６に記載された発明及び文献２〜４及び６に記載された技術に基いて、本件特許の優先日前にその発明の属する技術の分野における通常の知識を有する者が容易に発明をすることができたものであるから、請求項１〜６及び９〜１４に係る特許は、特許法第２９条第２項の規定に違反してされたものであり、取り消されるべきものである。 
引用文献一覧：
文献１：特開２０１２−１３０５３７号公報（甲第１号証）
文献２：特開２００８−１５１１３１号公報（甲第３号証）
文献３：特開２００９−５０１２９号公報（甲第４号証）
文献４：特開平１０−１７８７１５号公報（甲第５号証）
文献５：特開２０１２−１２０６１９号公報（甲第６号証）
文献６：特表平８−５０１０１３号公報（当審で新たに発見した文献）
２．引用文献の記載
（１）文献１の記載について
ア．文献１には、図面と共に次の記載がある。
「【０００１】
　本発明は、在宅医療や臨床試験に用いられる薬剤を収容するドーズパッケージと、このドーズパッケージを用いたドーズパッケージシステムに関する。」
「【００１８】
＜ドーズパッケージ＞
　図２に示すように、ドーズパッケージ２は、ポリエチレン等の透明樹脂を素材とする真空成型品（あるいは、圧空成型品）のパッケージ本体１１と、グラシン紙を素材とする打ち抜き加工品のカバーシート１２とからなっている。」
「【００１９】
　パッケージ本体１１の裏面には複数（本実施形態では、縦に７個、横に４個、計２８個）の薬剤収容セル１３が突設されており、これら薬剤収容セル１３に１日４回、１週間分の薬剤（カプセルや錠剤）１４が収容される。パッケージ本体１１の左端には上下に長い矩形の電極保護タブ１５が区画されており、この電極保護タブ１５がミシン目１６にそって除去可能となっている。なお、パッケージ本体１１の表面には粘着材１７が適所に塗布されており、薬剤収容セル１３に薬剤１４を収容した後にパッケージ本体１１にカバーシート１２を貼着させることができる。」
「【００２０】
　カバーシート１２の表面には、各薬剤収容セル１３に対応する開封タブ２１がそれぞれ配置され、これら開封タブ２１をその輪郭に形成されたミシン目２２にそって切り剥がせるようになっている。各開封タブ２１には、薬剤の服薬タイミング（朝、昼、夕、就寝前）を示すシンボル２３ａ〜２３ｄが左右１列で上下７行にわたって印刷されるとともに、左端のシンボル２３ａの左には曜日（あるいは、日付）を書き込むための記入欄２４が設けられている。なお、開封タブ２１には、シンボル２３ａ〜２３ｄに代えて、番号や記号（１〜２８、Ａ１〜Ｆ４等）を付してもよい。」
「【００２１】
　一方、図３に示すように、カバーシート１２の裏面には、各開封タブ２１を水平に横切るプラス線２５と、各プラス線２５が接続する共用のアース線（コモン線）２６とが配置され、左端側にこれらプラス線２５およびアース線２６の端部（電極端子）２５ａ，２６ａが集結するパッケージ側電極部２７が設置されている。本実施形態の場合、プラス線２５およびアース線２６は、導電性インクを用いた印刷によって形成されている。なお、パッケージ側電極部２７の上下には、後述する位置決めピン３３（図４参照）が嵌入する位置決め孔２８がそれぞれ穿設されるとともに、位置決め孔２８から側縁に向けて廃棄用ミシン目２９が設けられている。なお、ミシン目２２は、導電性インクによる印刷の妨げにならないように（プラス線２５やアース線２６の断裂等が生じないように）、表面側にのみ切り込みを入れるハーフカットで形成されている。」
「【００２３】
　図５に示すように、ユニット本体３１は、マイクロコントローラ４１と、リアルタイムクロック４２と、音声コントローラ４３と、スピーカ４４と、警告ランプ４５と、停止スイッチ４６と、ランダムアクセスメモリ（以下、ＲＡＭと記す）４７と、赤外線ＬＥＤ４８と、赤外線受光素子４９とを備えている。マイクロコントローラ４１は、制御中枢となる集積回路であり、ユニット側電極部３６の電極端子３５が接続するとともに、ユニット本体３１の他の構成部品との間で電気信号の授受を行う。」
「【００２４】
　リアルタイムクロック４２は、マイクロコントローラ４１等から独立したバッテリで作動し、マイクロコントローラ４１に時刻信号を常時出力する。音声コントローラ４３は、マイクロコントローラ４１からの指令に基づき、合成音声や警告音をスピーカ４４から出力させる。警告ランプ４５は、マイクロコントローラ４１からの指令に基づき、所定の発光パターンをもって発光する。停止スイッチ４６は、外部（使用者）の入力に基づき、マイクロコントローラ４１に警告停止指令を出力する。ＲＡＭ４７は、ＰＣ５等から入力された服薬予定薬剤や服薬予定時刻を記憶するとともに、電極端子３５からの検出信号やリアルタイムクロック４２からの時刻情報に基づく服薬データを記憶する。赤外線ＬＥＤ４８は、マイクロコントローラ４１からの出力指令に基づき、送受信ユニット４の赤外線受光部５１（図１参照）に対して赤外線信号を出力する。赤外線受光素子４９は、送受信ユニット４の赤外線ＬＥＤ５２（図１参照）から出力された赤外線信号を受信し、その受信結果をマイクロコントローラ４１に出力する。」
「【００２９】
　次に、マイクロコントローラ４１は、ステップＳ３で所定の値（例えば、５ｍｉｎ）を有するカウントダウンタイマＴｃｄを起動した後、ステップＳ４で開封信号が入力したか否かを判定する。開封信号は、薬剤収容セル１３が開封されることによって（すなわち、開封タブ２１が切り剥がされることによって）プラス線２５が切断し、プラス線２５とアース線２６との間の抵抗（電極端子２５ａ，２６ａ間の抵抗）が増大することで生成される。なお、開封信号は、当然のことながら、どの開封タブ２１が切り剥がされたかが認識できるように、各開封タブ２１に対応するものが生成される。ステップＳ４の初回の判定は通常Ｎｏとなるため、マイクロコントローラ４１は、ステップＳ５でカウントダウンタイマＴｃｄの値が０であるか否かを判定し、この判定がＮｏである間はステップＳ４の判定を繰り返す。」
「【００３０】
　患者や被験者が薬剤収容セル１３を開封してステップＳ４の判定がＹｅｓになると、マイクロコントローラ４１は、ステップＳ６で、服薬スケジュールの服薬予定薬剤と開封信号とを比較することにより、開封された薬剤収容セル１３が正しいものであるか否か（開封が正規に行われたか否か）を判定する。マイクロコントローラ４１は、ステップＳ６の判定がＹｅｓであった場合、ステップＳ７でＲＡＭ４７に服薬データ（服用薬剤および服薬時刻）を記録する。」
「【００３８】
＜メモリユニットと送受信ユニットとの通信＞
　メモリユニット３は、所定の送信タイミング（例えば、服薬データが更新された時点）で送受信ユニット４に服薬データを送信する。また、送受信ユニット４は、この服薬データをリアルタイムにＰＣ５を介して外部ＰＣに送信する。これにより、医療機関や製薬会社は、医師が患者の服薬状況を把握することや、研究者が服薬データベースを構築することができる。なお、メモリユニット３から送受信ユニット４への送信は、ＰＣ５や外部ＰＣ５からの指令に基づいて行うようにしてもよい。」
「【００４０】
　以上で具体的実施形態の説明を終えるが、本発明の態様はこの実施形態に限られるものではない。例えば、上記実施形態ではメモリユニットと送受信ユニットとの間で赤外線による無線通信を行わせるようにしたが、電波による無線通信を行わせるようにしてもよいし、コネクタ等を用いた有線通信を行わせるようにしてもよい。また、上記実施形態では、メモリユニットが送受信ユニットを介してＰＣや外部ＰＣとの間で通信を行うものとしたが、このような通信は必須ではなく、メモリユニットが一体化されたドーズパッケージを患者や被験者に渡し、服薬の完了後にメモリユニットのみ（あるいは、ドーズパッケージおよびメモリユニット）を医療機関や製薬会社に返却させるようにしてもよい。この場合は、医療機関や製薬会社において、メモリユニットに記憶された服薬データをＰＣにダウンロードすることにより、投薬の管理や投薬データベースの構築を行うことができる。」
イ．以上の記載から、次の事項が認められる。
（ア）【００１８】の「ドーズパッケージ２は、・・・パッケージ本体１１と、・・・カバーシート１２とからなっている。」との記載、【００１９】の「パッケージ本体１１の裏面には複数・・・の薬剤収容セル１３が突設されており、これら薬剤収容セル１３に１日４回、１週間分の薬剤（カプセルや錠剤）１４が収容される。」との記載から、「ドーズパッケージ２」は、「薬剤１４を収容するための複数の薬剤収容セル１３」を有するといえ、「薬剤１４を収容するための複数の薬剤収容セル１３を有するドーズパッケージ２」が記載されているといえる。
（イ）【００２０】の「カバーシート１２の表面には、各薬剤収容セル１３に対応する開封タブ２１がそれぞれ配置され、これら開封タブ２１をその輪郭に形成されたミシン目２２にそって切り剥がせるようになっている。」との記載、【００２１】の「各開封タブ２１を水平に横切るプラス線２５」との記載から、「各薬剤収容セル１３に対応する開封タブ２１を水平に横切るプラス線２５」が記載されているといえる。さらに、【００２９】の「薬剤収容セル１３が開封されることによって（すなわち、開封タブ２１が切り剥がされることによって）プラス線２５が切断し」との記載から、「プラス線２５」は、「切断可能な材質で形成される」といえる。
（ウ）【００２９】の「マイクロコントローラ４１は、・・・開封信号が入力したか否かを判定する。開封信号は、薬剤収容セル１３が開封されることによって（すなわち、開封タブ２１が切り剥がされることによって）プラス線２５が切断し、プラス線２５とアース線２６との間の抵抗（電極端子２５ａ，２６ａ間の抵抗）が増大することで生成される。なお、開封信号は、当然のことながら、どの開封タブ２１が切り剥がされたかが認識できるように、各開封タブ２１に対応するものが生成される。」との記載から、「マイクロコントローラ４１」は、「プラス線２５とアース線２６との間の抵抗（電極端子２５ａ，２６ａ間の抵抗）が増大することで生成される開封信号が入力したか否かを判定し、各開封タブ２１に対応する開封信号が生成されることによって、どの開封タブ２１が切り剥がされたかが認識できる」、「部分」を備えるといえる。また、プラス線２５が切断し、プラス線２５とアース線２６との間の抵抗（電極端子２５ａ，２６ａ間の抵
抗）が増大することで開封信号が生成されることから、マイクロコントローラ４１が、プラス線２５へ電流を送出していることは、技術常識に照らして明らかである。
ウ．以上から、文献１には、次の発明（以下、「引用発明１」という。）が記載されているといえる。
「薬剤１４を収容するための複数の薬剤収容セル１３を有するドーズパッケージ２の各薬剤収容セル１３に対応する開封タブ２１を水平に横切り、切断可能な材質で形成されるプラス線２５へ電流を送出し、プラス線２５とアース線２６との間の抵抗（電極端子２５ａ，２６ａ間の抵抗）が増大することで生成される開封信号が入力したか否かを判定し、各開封タブ２１に対応する開封信号が生成されることによって、どの開封タブ２１が切り剥がされたかが認識できる部分を備える、マイクロコントローラ４１。」
（２）文献２の記載について
ア．文献２には、図面と共に次の記載がある。
「【０００１】
　本発明は、請求項１の上位概念事項による保護システムおよび保護システムの検査のための方法に関する。」
「【００３６】
　図１は、図示されていない設備のための電気保護システム１０の部分的な概略回路図を示す。設備は、例えばターボセットまたはガスタービン設備であってよい。以下においてはガスタービンの保護システムが説明されている。」
「【００６６】
　バイアス電流線３０の信号の帰還およびトリップ線２４の信号の帰還によって、自動化システム１２は、制御リレー３６の１つの開閉要素４０の開路による検査信号の発生とバイアス電流線３０ｃもしくはトリップ線２４における従属した信号の受信との間に、いかなる信号伝搬時間が経過したかを求めることができる。一般に検査信号は１秒までの持続時間だけ用意されていて、自動化システム１２による縦リレー４６の１つの制御によって発生させられる。自動化システム１２が検査信号の開始後０．５秒以内に、とりわけ０．３秒以内に、バイアス電流線３０ｃの出力２８（またはトリップ線２４）での期待される応答が入力５２において受信されない場合には、これは故障と評価される。・・・」
イ．以上から、文献２には、次の技術（以下、「文献２に記載された技術」という。）が記載されているといえる。
「ターボセットまたはガスタービン設備のための電気保護システム１０の検査方法において、１秒までの持続時間だけ用意された検査信号の開始後０．５秒以内に、とりわけ０．３秒以内に、バイアス電流線３０ｃの出力２８での期待される応答が入力５２において受信されない場合には、これは故障と評価すること。」
（３）文献３の記載について
ア．文献３には、図面と共に次の記載がある。
「【０００９】
　入力デバイス、セーフティコントローラ、及び出力デバイスを含む制御システム全体の確実な動作を保証するために、ＭＰＵが実行するシステム処理には、入力デバイスのそれぞれが正常か異常かを診断するための入力デバイス診断処理が含まれている。これをセーフティコントローラにおける入力デバイス自己診断機能と言うこともある。」
「【００１０】
　一般に、この種の入力デバイス診断処理においては、特定のテスト端子からパルス（又は一定周期のパルス列）を送り出しながら、特定の入力端子から取り込まれる信号中に現れる戻りパルス（又は一定周期のパルス列）を監視し、戻りパルス（又は一定周期のパルス列）がパルス送出時点から起算される一定の評価時間（Ｔｅｖ）内に戻ってくるか否かに基づいて、その入力デバイスが正常か異常か（入力デバイス自体の短絡・断線、配線長の不適切等々）を評価すると言う診断手法が採用される。」
「【００４８】
　・・・セーフティコントローラ１は、中央処理部（ＣＰＵ）１０１、通信制御部１０２、ＵＳＢ制御部１０３、入出力回路１０４、及び端子台１ａを含んで構成される。」
「【００５１】
　ＣＰＵ１０１は、マイクロプロセッサ（ＭＰＵ）１０１ａ、システムプログラムメモリ１０１ｂ、ユーザプログラムメモリ１０１ｃ、ＩＯメモリ１０１ｄ、及びワークメモリ１０１ｅを含んで構成される。」
「【００５３】
　ＭＰＵ１０１ａは、システムプログラムメモリ１０１ｂに格納されたシステムプログラムをワークメモリ１０１ｅをワークエリアとして実行することにより、図５に示されるように、初期処理（ステップ１０１又は１１１）に続いて、当該コントローラに必要な各種のシステム機能を実現するためのシステム処理（ステップ１０２又は１１２）と、ネットワークを介する他の通信ノードとの通信やツール装置などとの通信を実現する通信処理（ステップ１０３又は１１３）と、ＩＯメモリ１０１ｄと入出力端子列１０６，１０７との間で入出力回路１０４を介してＩＯデータの更新を行うＩＯリフレッシュ（入出力更新）処理（ステップ１０４又は１１４）と、ユーザプログラムメモリ１０１ｃに格納されたユーザプログラムを構成する各ファンクションブロックを順次に読み出しては解読実行するユーザプログラム実行処理（ステップ１０５又は１１５）とを含む一連の処理をサイクリックに実行する。」
イ．以上から、文献３には、次の技術（以下、「文献３に記載された技術」という。）が記載されているといえる。
「入力デバイス、セーフティコントローラ、及び出力デバイスを含む制御システムの入力デバイス診断処理において、特定のテスト端子からパルス（又は一定周期のパルス列）を送り出しながら、特定の入力端子から取り込まれる信号中に現れる戻りパルス（又は一定周期のパルス列）を監視し、戻りパルス（又は一定周期のパルス列）がパルス送出時点から起算される一定の評価時間（Ｔｅｖ）内に戻ってくるか否かに基づいて、その入力デバイスが正常か異常か（入力デバイス自体の断線等々）を評価すること。」
（４）文献４の記載について
ア．文献４には、図面と共に次の記載がある。
「【０００１】
【発明の属する技術分野】この発明は、ガス絶縁機器のガス漏れをその場所と共に早期に検出するガス絶縁機器監視装置に関するものである。」
「【００２９】実施の形態２．上記実施の形態１は一定時間以上検査用パルスが信号線３を通して親監視装置１Ａに戻って来ない場合にガス漏れ無しを判定したが、本実施の形態は実施の形態１の機能に加えて信号線２、３の断線或いは装置の故障を検出する機能を備える。」
「【００３０】図３、図４は本実施の形態に係るガス絶縁機器監視装置の構成図である。尚、図中、図１、２と同一符号は同一または相当部分を示す。図１、２では信号線２と３を並列に敷設し信号線間に各ガス密度スイッチ４ａを所定間隔で並列に配置したが、本実施の形態では信号線２、３の終端を接続して信号線５をループ状にする。」
「【００３２】信号線５の途中に断線も無く、ガス漏れ検知によりガス密度スイッチ４ｃがＯＮ状態でなければ、パルス発生器１ａから発生した検査用パルスは信号線５の全長によって決まる一定の戻り時間後に親監視装置１Ａに戻ってくる。」
「【００３４】ところが、例えば、図４の様に断線箇所があった場合、終端を通って戻ってくる検査用パルスは親監視装置１Ａに入力されない。このように、一定の時間後に親監視装置１Ａに戻って来るべき検査用パルスが検知出来なかった場合は、監視装置１Ａの故障や信号線５に断線が発生したことが判定される。」
イ．以上から、文献４には、次の技術（以下、「文献４に記載された技術」という。）が記載されているといえる。
「ガス絶縁機器監視装置において、信号線２、３の終端を接続してループ状にした信号線５の全長によって決まる一定の時間後に、親監視装置１Ａに戻って来るべき検査用パルスが検知出来なかった場合は、信号線５に断線が発生したことを判定すること。」
（５）文献５の記載について
ア．文献５には、図面と共に次の記載がある。
「【００２０】
　以下、図面を参照しつつ、本発明の実施の形態について説明する。図１には、錠剤のサプリメント（物質）を収容した電子パッケージ（携帯型情報発信装置）１０の斜視図、図２（ａ）には、電子パッケージ１０を開いた平面図、図２（ｂ）には、その部分断面図、図３には、電子パッケージ１０の基板の展開図を示す。電子パッケージ１０は、片手で把持できる程度の大きさであり、扉部１１、ボタン配列部１２、物質保持部１３を備える。扉部１１とボタン配列部１２との間には側部１６を、ボタン配列部１２と物質保持部１３との間には側部１７を備える。物質保持部１３には、７×４の配列で２８個のサプリメント（物質）１５を備える。」
「【００２１】
　サプリメント１５は、プラスチックシート１４の内側に収容される。プラスチックシート１４には、上に凸に湾曲した略半球殻状の湾曲部１４Ａを２８個備える。プラスチックシート１４は、保持部第１パネル１３ＡとアルミシートＡＬとの間に挟むようにして備えられる。そして、湾曲部１４ＡとアルミシートＡＬとの間に形成された収容部３０にサプリメント１５を１つずつ収容する。アルミシートＡＬの下には保持部第３パネル１３Ｄを設け、保持部第３パネル１３Ｄの下には電気回路ＥＣを介して保持部第２パネル１３Ｂを備える。なお、プラスチックシート１４は、湾曲部１４Ａを７×４の配列で一体に形成したシートである。また、保持部第１パネル１３Ａには湾曲部１４Ａに沿った円状の切り欠き１３ＡＸを、保持部第２パネル１３Ｂ、保持部第３パネル１３Ｄにはそれぞれ、湾曲部１４Ａに沿った円状のミシン目Ｃ１，Ｃ２を備える（後述）。湾曲部１４Ａは、保持部第１パネル１３Ａの切り欠き１３ＡＸ、保持部第２パネル１３Ｂのミシン目Ｃ２、保持部第３パネル１３Ｄのミシン目Ｃ１と略同一の間隔で配置される。」
「【００２７】
　扉部第２パネル１１Ｂには、電子モジュールＭが貼着される。また、扉部第２パネル１１Ｂ、配列部第２パネル１２Ｂ、側部パネル１６Ｂ，１７Ｂ、保持部第３パネル１３Ｄには、電気回路ＥＣを形成する。電気回路ＥＣの陰極端子は、電子モジュールＭの一端より出て、扉部第２パネル１１Ｂ、側部パネル１６Ｂ，１７Ｂ、配列部第２パネル１２Ｂ、保持部第３パネル１３Ｄのそれぞれ縁部を通って、電子モジュールＭの他端へ入るように回路構成される。一方、電気回路ＥＣの陽極端子は合計で３２個あり、そのうちの１つが不連続部２２の一方に達し、不連続部２２の他方は、陰極回路に合流する。また、３つの陽極端子はそれぞれ３つの不連続部２３の一方に達し、不連続部２３の他方は、陰極回路に合流する。」
「【００２８】
　残りの２８個の陽極端子は、それぞれ、保持部第３パネル１３Ｄの形成された２８個のミシン目Ｃ１に向かい、ミシン目Ｃ１を略直径方向に横切り、陰極回路に合流する。なお、陽極端子から伸びた２８本の回路線のそれぞれがミシン目Ｃ１で区切られる部分を検知部（検知手段）２４と称する。導電スポット２１Ａ、導電スポット２１Ｂ１，２１Ｂ２，２１Ｂ３、不連続部２２，２３Ａ，２３Ｂ，２３Ｃ、電気回路ＥＣは、導電物質をインクジェット方式により板紙Ｐ上に印刷することによって形成される。なお、印刷方法は、インクジェット方式に限定されるものではなく、シルク印刷、グラビア印刷などどのような印刷方法であってもよい。」
「【００３５】
　図４には、使用者情報管理システム（物質情報管理システム）を示す。使用者情報管理システムは、電子パッケージ１０、データ読取装置（電子情報読取装置）４０、解析装置５０、複数のモニター（表示手段）６０などで構成される。電子パッケージ１０に備える電子モジュールＭは、動作磁界により発電する発電回路３１、電磁波（ＲＦ信号）を送信するアンテナ（送信手段）３２、電子データを記憶する記憶手段３３、タイムスタンプを付与するリアルタイムクロック３４、電気回路ＥＣに連結して電気回路ＥＣを作動させる電池３５、電池３５の電源供給を所定時間で停止するオートスリープ手段３６、制御部３７などを備える。」
「【００３９】
　そして、一日１錠、サプリメント１５を服用する。服用する際、まず、使用者は、電子パッケージ１０のスタートボタン（スタートスイッチ）１７を押す（Ｓ１）。すると不連続部２２と導電スポット２１Ａが接触して不連続部２２前後の回路線が導通し、電子モジュールＭの制御部３７が電池３５を電気回路ＥＣに接続して電気回路ＥＣをＯＮにする（Ｓ２）。次に、電子パッケージ１０に表示されている使用者に対する質問文１８、「お肌の調子はいかがですか」に回答する
ために回答ボタン１９Ａ〜１９Ｃのいずれかを押す（Ｓ３）。今回は、「悪い」（回答）に相当する回答ボタン１９Ａを押下する。すると、不連続部２３Ａと導電スポット２１Ｂ１が接触して不連続部２３Ａ前後の回路線が導通し、電子モジュールＭの制御部３７がリアルタイムクロック３４を作動させて、回答ボタン１９Ａが押された日時をタイムスタンプし、回答とその回答がなされた日時（回答情報と称す）を記憶手段３３に記憶する（Ｓ４）。」
「【００４０】
　次に、サプリメント１５を１つ取り出す。２８個のサプリメント１５は１つずつ湾曲部１４Ａと保持部第３パネル１３Ｄとの間に形成された収容部３０に収容されている（図５（ａ））。この湾曲部１４Ａを上方より親指ＴＨで押して、サプリメント１５を下方に押し出す（Ｓ５）。すると、ミシン目Ｃ１に沿って保持部第３パネル１３Ｄが、ミシン目Ｃ２に沿って保持部第２パネル１３Ｂが切り取られるとともに、アルミシートＡＬが破断して、サプリメント１５が収容部３０から押し出される。このとき、電気回路ＥＣの検知部２４も同時に切り取られ（断線して）、この電気回路ＥＣの電流が停止する。電子モジュールＭの制御部３７は、このサプリメント１５が取り出された日時のタイムスタンプと、取り出された収容部３０の位置（取出情報と称す）とを記憶手段３３に記憶させる（Ｓ６）。すなわち、検知部２４は収容部３０からサプリメント１５が取り出されたことを検知する。なお、このとき、前記回答情報とこの取出情報とをリンクさせて記憶するようにしてもよい。」
「【００４３】
　販売舗には、データ読取装置４０、解析装置５０、モニター６０が備えられている。店頭で、使用者は、使用済みの電子パッケージ１０を販売員に渡す。販売員は、電子パッケージ１０の扉部１１（すなわち、電子モジュールＭが収納されている部分）をデータ読取装置４０に近づける。データ読取装置４０は、外部電源Ｅによって発信手段４１が常時、動作磁界を発生させており、電子パッケージ１０の発電回路３１がこの動作磁界によって励磁され、誘導電流を発生させる。これによって、電子モジュールＭは電源がＯＮとなり、アンテナ３２より、記憶手段３３に記憶されている全てのサプリメント１５に対する回答情報と取出情報、および、商品の固有情報が無線通信波として送信される。」
「【００４４】
　送信された回答情報、取出情報および商品の固有情報は、データ読取装置４０のアンテナ４２を介して取り込まれ、サーバー５１に格納される。次に、販売員は、この生データ（回答情報、取出情報、商品の固有情報）に基づいてカウンセリングを行い、新しく提供する商品（サプリメント）を検討する。このとき、販売員は必要に応じて、解析手段５２を用いて、生データを解析する。そして、解析データに基づいて使用者に最適な商品を販売する。」
イ．以上の記載から、次の事項が認められる。
（ア）【００２０】の「錠剤のサプリメント（物質）を収容した電子パッケージ（携帯型情報発信装置）１０」との記載、【００２１】の「サプリメント１５は、プラスチックシート１４の内側に収容される。プラスチックシート１４には、上に凸に湾曲した略半球殻状の湾曲部１４Ａを２８個備える。・・・そして、湾曲部１４ＡとアルミシートＡＬとの間に形成された収容部３０にサプリメント１５を１つずつ収容する。」との記載から、「サプリメント１５を収容するための２８個の収容部３０を有する電子パッケージ１０」が記載されているといえる。
（イ）【００２０】の「湾曲部１４ＡとアルミシートＡＬとの間に形成された収容部３０」との記載、【００２１】の「それぞれ、湾曲部１４Ａに沿った円状のミシン目Ｃ１，Ｃ２を備える（後述）。湾曲部１４Ａは、・・・保持部第３パネル１３Ｄのミシン目Ｃ１と略同一の間隔で配置される。」との記載から、「収容部３０の湾曲部１４Ａに沿って、収容部３０の湾曲部１４Ａと略同一の間隔で配置される円状のミシン目Ｃ１」が記載されているといえる。
（ウ）【００２８】の「残りの２８個の陽極端子は、それぞれ、保持部第３パネル１３Ｄの形成された２８個のミシン目Ｃ１に向かい、ミシン目Ｃ１を略直径方向に横切り、陰極回路に合流する。」及び「陽極端子から伸びた２８本の回路線のそれぞれがミシン目Ｃ１で区切られる部分を検知部（検知手段）２４と称する。」との記載から、「ミシン目Ｃ１を略直径方向に横切る、２８本の回路線」が記載されているといえる。さらに、【００４０】の「サプリメント１５が収容部３０から押し出される。このとき、電気回路ＥＣの検知部２４も同時に切り取られ（断線して）、この電気回路ＥＣの電流が停止する。」との記載から、「２８本の回路線」は、「切り取られ可能な材質で形成される」といえる。
（エ）【００２７】の「電気回路ＥＣの陽極端子は合計で３２個あり」との記載、【００２８】の「残りの２８個の陽極端子は、それぞれ、保持部第３パネル１３Ｄの形成された２８個のミシン目Ｃ１に向かい、ミシン目Ｃ１を略直径方向に横切り、陰極回路に合流する。」及び「陽極端子から伸びた２８本の回路線」との記載から、「２８本の回路線」は「電気回路ＥＣ」を構成するものといえる。そして、【００３９】の「電子モジュールＭの制御部３７が電池３５を電気回路ＥＣに接続して電気回路ＥＣをＯＮにする」という記載、「電池を電気回路に接続して電気回路をＯＮにする」ことが、「電気回路に電流を流す」ことを意味するという技術常識から、「制御部３７」は、「２８本の回路線へ電流を流す」といえる。
（オ）【００４０】の「サプリメント１５を１つ取り出す。・・・サプリメント１５が収容部３０から押し出される。このとき、電気回路ＥＣの検知部２４も同時に切り取られ（断線して）、この電気回路ＥＣの電流が停止する。電子モジュールＭの制御部３７は、このサプリメント１５が取り出された日時のタイムスタンプと、取り出された収容部３０の位置（取出情報と称す）とを記憶手段３３に記憶させる（Ｓ６）。すなわち、検知部２４は収容部３０からサプリメント１５が取り出されたことを検知する。」との記載、【００２８】の「陽極端子から伸びた２８本の回路線のそれぞれがミシン目Ｃ１で区切られる部分を検知部（検知手段）２４と称する。」との記載から、「制御部３７」は、「サプリメント１５が収容部３０から取り出され、２８本の回路線のそれぞれがミシン目Ｃ１で区切られる部分が切り取られ（断線して）、電流が停止した日時のタイムスタンプと取り出された収容部３０の位置とを記憶手段３３に記憶させる」、「部分」を備えるといえる。
ウ．以上から、文献５には、次の発明（以下、「引用発明２」という。）が記載されているといえる。
「サプリメント１５を収容するための２８個の収容部３０を有する電子パッケージ１０の、収容部３０の湾曲部１４Ａに沿って、収容部３０の湾曲部１４Ａと略同一の間隔で配置される円状のミシン目Ｃ１を略直径方向に横切り、切り取られ可能な材質で形成される、２８本の回路線へ電流を流し、サプリメント１５が収容部３０から取り出され、２８本の回路線のそれぞれがミシン目Ｃ１で区切られる部分が切り取られ（断線して）、電流が停止した日時のタイムスタンプと、取り出された収容部３０の位置とを記憶手段３３に記憶させる部分を備える、制御部３７。」
（６）文献６の記載について
ア．文献６には、図面と共に次の記載がある。
「ブリスタパッケージ２０および３０は、ポケットまたはブリスタ２２および３２の配列が形成されるプラスチックシート２３および３３よりなる。薬剤２１および３１はブリスタ内に入れられ・・・」（第１６ページ第１１〜１４行）
「電子ハウジング１１２は薬剤ディスペンサ１１０のための電子回路を収容する。」（第１７ページ第２３〜２４行）
「通常は、邪魔されず分与される製品の通過によって変化する感知領域の２つの状況のみが関係があるため、感知されるパラメータの２つの異なる値のみが必要であり、・・・」（第１８ページ第２４〜２６行）
「ディスペンサ内の検出回路による感知シートの次の走査の間、この特定のスイッチの状況の変化が検出され、特定の薬剤が分与され、それが何時分与されたかという情報がディスペンサのメモリに記録される。」（第２０ページ第９〜１１行）
「この感知位置からの引き続いての開回路信号は、新しい製品パッケージおよび感知シートが次に装填されるまで無視され、これにより間違った分与信号が与えられる可能性が回避される。」（第２０ページ第１３〜１６行）
「図６〜図８は上記好適な実施態様のセンサシート１４８を示す。この実施態様は、非導電性外層１５０および１５２、ならびにこれらの間に２つの導電性金属箔回路層１５４および１５６を有する。回路層１５４はセンサシートの感知通路のすべてに対して共通のリターンまたは供給回路を提供する。信号回路要素１５６は製品要素領域の各々の共通の回路層に重なり、これによって、感知領域の各々で通常は閉鎖した単純なスイッチ構造が形成される。」（第２０ページ第２０
〜２５行）
「この押圧力によって、エラストマー性コネクタ１８０がセンサシート１４８とプリント配線基板上の対応する端子１７２との間の電気接続を行い、これにより、検出回路が完成し、分与動作を監視する装置が作動態勢となる。」（第２２ページ第１７〜２０行）
「薬剤が患者によってブリスタパッケージ３０から分与されるとき、対応するセンサシート１４８の感知領域が変更され、検出回路によるセンサシート回路の次の走査によって特定の薬剤が分与されたということが示されることになる。走査回数は、所望の分与時間分解能およびバッテリの耐久性を考慮にいれてこれらに適合する回数であればよい。」（第２２ページ第２６行〜第２３ページ第２行）
「ディスペンサ１０の電気システム図を図１０に示す。システムは通常は閉鎖したスイッチ群３１２を形成するセンサシート１４８の重複するトレース群３１０を有する。センサシート１４８は、エラストマー性コネクタ１８０と係合し、これにより、エラストマー性コネクタの交互に積層された層内の電気通路３１８を通してプリント配線基板上の端子１７２と電気接続を行う。プリント配線基板の端子１７２は読み出し専用メモリおよびランダムアクセスメモリを有するマイクロプロセッサ３５０に接続する。マイクロプロセッサは所望の投与スケジュールを確立して薬剤の実際の分与時間をメモリに記憶する様にプログラムし得る。マイクロプロセッサをプログラムして分与データをダウンロードするためにマイクロプロセッサとの外部通信が通信部３５２および３５４を介して実現される。」（第２３ページ第２３行〜第２４ページ第５行）
「好適な実施例において、感知アレイの感知されるパラメータは、ブリスタパッケージの各ブリスタ下のスイッチを流れる電流である。薬剤が分与されながら感知シートを通過するとき、スイッチを形成する覆いである箔状電気接点を押し破り感知領域を通る電流路を破断する。感知電流の存在如何により、検知回路の別の部分中の抵抗器の両端の電圧の降下が発生し、装置のマイクロプロセッサによって検知され得る信号が発生される。」（第２６ページ第１５〜２０行）
「センサシートの導電性回路は、絶縁性基板にシルクスクリーン加工その他の方法で塗布された導電性インクまたは接着剤からなっていてもよい。」（第２７ページ第１３〜１５行）
「本発明の監視されるディスペンサと一体化する分与システム全体では、外部装置は、ディスペンサと連絡するために用いられ得る。外部装置あるいは外部システムは、ディスペンサと共に用いられることだけを意図された専用コントローラであっても、ディスペンサとインタフェースするようにされ得るコンピュータなどの汎用装置であってもよい。どちらの場合でも、２つの装置が互いにインタフェースするためのディスペンサおよび外部装置内で連絡手段が要求される。連絡手段は、シリアルデータあるいはパラレルデータを運び得るコネクタ配線ポートであってもよい。光学周波数連結あるいは無線周波数連結などの他のワイアレス連絡手段も適している。また、上記のように、センサシート自体あるいはプログラミングカードは、命令をエラストマーコネクタ信号経路を通ってディスペンサに伝えるために用いられ得る。ディスペンサの好ましい実施態様は、コネクタを用いずに共通に備えられた外部装置と光学的に連絡するための発光ダイオードおよびホトダイオード素子を備えている。」（第３２ページ第２４行〜第３３ページ第９行）
「この方法でなければ確実には利用できないこの情報によって、薬品の有効性が現れないことあるいは薬品の副作用は、薬品自体によるものなのか、あるいは所定の処方箋に対して患者のコンプライアンスが低いためなのかに関して薬剤師は詳しい決定をし得る。」（第３４ページ第１２〜１６行）
「図１０
」
イ．以上の記載から、次の事項が認められる。
（ア）第１６ページ第１１〜１４行の「ブリスタパッケージ２０および３０は、ポケットまたはブリスタ２２および３２の配列が形成されるプラスチックシート２３および３３よりなる。薬剤２１および３１はブリスタ内に入れられ」との記載から、「薬剤を入れるブリスタの配列が形成されたブリスタパッケージ」が記載されているといえる。
（イ）第２３ページ第２３行〜第２４ページ第２行の「ディスペンサ１０の電気システム図を図１０に示す。システムは通常は閉鎖したスイッチ群３１２を形成するセンサシート１４８の重複するトレース群３１０を有する。センサシート１４８は、エラストマー性コネクタ１８０と係合し、これにより、エラストマー性コネクタの交互に積層された層内の電気通路３１８を通してプリント配線基板上の端子１７２と電気接続を行う。プリント配線基板の端子１７２は読み出し専用メモリおよびランダムアクセスメモリを有するマイクロプロセッサ３５０に接続する。」との記載、第２２ページ第１７〜２０行の「エラストマー性コネクタ１８０がセンサシート１４８とプリント配線基板上の対応する端子１７２との間の電気接続を行い、これにより、検出回路が完成し、分与動作を監視する装置が作動態勢となる。」との記載、第２６ページ第１８〜２０行の「感知電流の存在如何により、検知回路の別の部分中の抵抗器の両端の電圧の降下が発生し、装置の
マイクロプロセッサによって検知され得る信号が発生される。」との記載、図１０の図示内容から、「検出回路」は「検知回路」を意味し、「検知回路」は、「マイクロプロセッサ３５０から出た配線が、通常は閉鎖したスイッチ群３１２を形成するセンサシート１４８の重複するトレース群３１０を経由して、マイクロプロセッサ３５０に戻るように構成される」といえ、「マイクロプロセッサ３５０」は、検知を実行し、分与動作を監視する「検知部」を備えるといえる。
（ウ）第２４ページ第２〜３行の「マイクロプロセッサは所望の投与スケジュールを確立して薬剤の実際の分与時間をメモリに記憶する様にプログラムし得る。」との記載から、「マイクロプロセッサ」は、「所望の投与スケジュールを確立して薬剤の実際の分与時間をメモリに記憶する」ための「プログラム」を「実行する部分」を備えるといえる。
（エ）第２３ページ第２８行〜第２４ページ第１行の「読み出し専用メモリおよびランダムアクセスメモリを有するマイクロプロセッサ３５０」との記載から、「マイクロプロセッサ３５０」は、「読み出し専用メモリおよびランダムアクセスメモリ」を備えるといえる。
（オ）第２２ページ第２６行〜第２３ページ第２行の「薬剤が患者によってブリスタパッケージ３０から分与されるとき、対応するセンサシート１４８の感知領域が変更され、検出回路によるセンサシート回路の次の走査によって特定の薬剤が分与されたということが示されることになる。走査回数は、所望の分与時間分解能およびバッテリの耐久性を考慮にいれてこれらに適合する回数であればよい。」との記載と、上記イで認定された検出回路（検知回路）の構成及び検出回路
（検知回路）におけるマイクロプロセッサ３５０の役割から、「マイクロプロセッサ３５０」の「検知部」は、「所望の分与時間分解能およびバッテリの耐久性を考慮にいれてこれらに適合する走査回数で走査し」、「特定の薬剤が分与されたということを示す」といえる。
（カ）第２６ページ第１６行の「各ブリスタ下のスイッチ」という記載、同ページ第１７〜１８行の「スイッチを形成する覆いである箔状電気接点を押し破り感知領域を通る電流路を破断する」との記載から、「感知領域」は「各ブリスタ下」にあり、「感知領域を通る電流路」は、「破断」可能な材質で形成されるといえる。さらに、第２２ページ第２７行〜第２３ページ第２行の「検出回路によるセンサシート回路の次の走査」、「走査回数は、所望の分与時間分解能およびバッテリの耐久性を考慮にいれてこれらに適合する回数であればよい。」との記載と、上記イで認定された検出回路（検知回路）の構成及び検出回路（検知回路）におけるマイクロプロセッサ３５０の役割を考慮すると、「マイクロプロセッサ３５０」の「検知部」は、「感知領域を通る電流路」に、「所望の分与時間分解能およびバッテリの耐久性を考慮にいれてこれらに適合する走査回数」の「電流」を流すといえる。
（キ）第２６ページ第１８〜２０行の「感知電流の存在如何により、検知回路の別の部分中の抵抗器の両端の電圧の降下が発生し、装置のマイクロプロセッサによって検知され得る信号が発生される。」との記載から、「マイクロプロセッサ」の「検知部」は、「感知電流の存在如何により、検知回路の別の部分中の抵抗器の両端の電圧の降下が発生」することにより「発生される」「信号」を「検知」するといえる。さらに、上記オで認定された「特定の薬剤が分与されたということを示す」という「マイクロプロセッサ３５０」の「検知部」の機能を考慮すると、「マイクロプロセッサ」の「検知部」は、「信号」を「検知」した場合に、「特定の薬剤が分与されたということを示す」といえる。
ウ．以上から、文献６には、次の発明（以下、「引用発明３」という。）が記載されているといえる。
「所望の投与スケジュールを確立して薬剤の実際の分与時間をメモリに記憶するためのプログラムを実行する部分と、薬剤を入れるブリスタの配列が形成されたブリスタパッケージの各ブリスタ下の感知領域を通り、破断可能な材質で形成される電流路に、所望の分与時間分解能およびバッテリの耐久性を考慮にいれてこれらに適合する走査回数の電流を流し、感知電流の存在如何により、検知回路の別の部分中の抵抗器の両端の電圧の降下が発生することにより発生される信号を検知した場合に、特定の薬剤が分与されたということを示す検知部と、読み出し専用メモリおよびランダムアクセスメモリとを、備える、マイクロプロセッサ３５０。」
　また、文献６には、次の技術（以下、「文献６に記載された技術」という。）も記載されているといえる。
「分与を感知した後のこの感知位置からの引き続いての開回路信号を、新しい製品パッケージおよび感知シートが次に装填されるまで無視すること。」
３．対比・判断
（１）引用発明１を主たる引用発明とした場合
ア．本件特許発明１、４〜６、９〜１１について
（ア）対比
　本件特許発明１と引用発明１とを対比すると、引用発明１の「マイクロコントローラ４１」は、本件特許発明１の「信号処理装置」に相当し、以下同様に、「薬剤１４」は「物品」に、「複数の薬剤収容セル１３」は「１つ以上の収容部」に、「ドーズパッケージ２」は「パッケージ」に、「各薬剤収容セル１３に対応する開封タブ２１」は「１つ以上の収容部にそれぞれ対応する領域」に、「プラス線２５」は「信号線」に、それぞれ相当する。
　また、引用発明１において、「開封信号」は、「プラス線２５とアース線２６との間の抵抗（電極端子２５ａ，２６ａ間の抵抗）が増大することで生成される」ことから、引用発明１の「電流」は、それにより、「どの開封タブ２１が切り剥がされたか」を確認するものであるといえ、本件特許の請求項１に係る発明の「信号」に相当する。
　また、引用発明１の「どの開封タブ２１が切り剥がされたかが認識できる部分」は、本件特許発明１の「各収容部の開封を検出する検出部」に相当する。
　そうすると、本件特許発明１と引用発明１との一致点及び相違点は次のとおりである。
【一致点】
　物品を収容するための１つ以上の収容部を有するパッケージの前記１つ以上の収容部にそれぞれ対応する領域を通過するように破断可能な材質で形成される１つ以上の信号線へ信号を送出し、各収容部の開封を検出する検出部を備える、信号処理装置。
【相違点１】
　信号処理装置の構成要素について、本件特許発明１では、プログラムを実行するプロセッサと、前記プロセッサを機能させるための前記プログラムを記憶するメモリとを備えるのに対し、引用発明１では、そのような構成を備えるか不明な点。
【相違点２】
　検出部について、本件特許発明１では、送出した信号が各領域を経由して帰還するかに基づいて各収容部の開封を検出するものであって、１つ以上の信号線は、共通線から分岐する１つ以上の分岐線であり、前記１つ以上の分岐線それぞれは、１つ以上の収容部それぞれと一対一に対応し、前記検出部は、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出するものであるのに対し、引用発明１では、そのような構成を備えていない点。
（イ）判断
　まず上記相違点２について検討する。
　本件特許発明１は、「１つ以上の信号線は、共通線から分岐する１つ以上の分岐線であり、前記１つ以上の分岐線それぞれは、１つ以上の収容部それぞれと一対一に対応し、前記検出部は、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出する」という構成（以下、「構成」という。）を備えるものである。
　そして本件特許発明１は、上記構成を備えることにより、（ａ）所定のパルス幅を有するパルス信号を共通線へ送出することで、パルス信号を送出する制御の簡略化及び送信電力の低減が可能である。（ｂ）パルス信号の送出時刻から、１つ以上の分岐線それぞれに対して設定された遅延時間が経過した時刻それぞれのタイミングで分岐線ごとにパルス信号の帰還の有無を検出すればよいため、パルス信号のパルス幅を短くすることが可能になり、それにより、送信電力のさらなる低減が可能になる。（ｃ）パルス信号の送出時刻から、１つ以上の分岐線それぞれに対して設定された遅延時間が経過した時刻それぞれのタイミングで分岐線ごとにパルス信号の帰還の有無を検出すればよいため、分岐線ごとに帰還するパルス信号の検出期間を短くすることが可能となり、それにより、検出に要する電力の低減が可能になる。という本件特許発明独自の作用効果を奏するものである。
　ここで、上記文献２〜４に記載された技術に基づけば、本件特許発明１の「送出した信号が各領域を経由して帰還するかに基づいて各収容部の開封を検出する」点は、文献２〜４の記載から容易に導き出せるといえる。
　しかし、本件特許発明１は上記点に加えて上記構成（特に、パルス信号の送出時刻から、１つ以上の分岐線
それぞれに対して
それぞれのタイミングで
　また、文献６に記載された技術も上記点を示唆するものではない。
　よって、本件特許発明１の上記相違点２に係る構成は、引用発明１及び文献２〜４及び６に記載された技術に基いて当業者が容易に発明をすることができたものではないから、上記相違点１について検討するまでもなく本件特許発明１は、引用発明１及び文献２〜４及び６に記載された技術に基いて、当業者が容易に発明をすることができたものとはいえない。
　また、本件特許発明４〜６及び９〜１１は、いずれも直接又は間接的に本件特許発明１を引用するものであるから、同様に引用発明１及び文献２〜４及び６に記載された技術に基いて、当業者が容易に発明をすることができたものではない。
イ．本件特許発明１２〜１４について
　本件特許発明１２〜１４は、それぞれ、本件特許発明１の信号処理装置のプロセッサを機能させるためのプログラム、本件特許発明１の信号処理装置のプロセッサにより実行される開封検出方法、並びに、物品を収容するための１つ以上の収容部を有するパッケージと、前記パッケージの前記１つ以上の収容部にそれぞれ対応する領域を通過するように、破断可能な材質で形成される１つ以上の信号線と、本件特許発明１の信号処理装置を含む開封検出モジュールとを備える物品包装材であり、上記ア．で検討した相違点２に係る構成を実質的に包含するものである。
　よって、上記ア．で検討したのと同様の理由により、引用発明及び文献２〜４及び６に記載された技術に基いて当業者が容易に発明できたものではない。
ウ．小括
　以上のとおり、本件特許発明１、４〜６及び９〜１４は、引用発明１及び文献２〜４及び６に記載された技術に基いて、当業者が容易に発明をすることができたものではない。
（２）引用発明２を主たる引用発明とした場合
ア．本件特許発明１、４〜６、９〜１１について
（ア）対比
　本件特許発明１と引用発明２とを対比すると、引用発明２の「制御部３７」は、本件特許発明１の「信号処理装置」に相当し、以下同様に、「サプリメント１５」は「物品」に、「２８個の収容部３０」は「１つ以上の収容部」に、「電子パッケージ１０」は「パッケージ」に、「２８本の回路線」は「１つ以上の信号線」に、それぞれ相当する。
　また、引用発明２の「円状のミシン目Ｃ１」は、「収容部３０の湾曲部１４Ａに沿って、収容部３０の湾曲部１４Ａと略同一の間隔で配置される」ので、「円状のミシン目Ｃ１」で囲まれた領域は、２８個の収容部３０にそれぞれ対応する領域といえ、「円状のミシン目Ｃ１を略直径方向に横切り、切り取られ可能な材質で形成される、２８本の回路線」は、本件特許発明１の「１つ以上の収容部にそれぞれ対応する領域を通過するように破断可能な材質で形成される１つ以上の信号線」に相当する。
　また、引用発明２の「電流」は、「停止した」ことにより、「サプリメント１５が収容部３０から取り出され」た「タイムスタンプ」と、「取り出された収容部３０の位置」とを「記憶手段３３に記憶させる」ので、サプリメント１５がどの収容部３０から取り出されたかを確認するものであるといえ、本件特許発明１の「信号」に相当する。
　また、引用発明２の「サプリメント１５が収容部３０から取り出され、２８本の回路線のそれぞれがミシン目Ｃ１で区切られる部分が切り取られ（断線して）、電流が停止した日時のタイムスタンプと、取り出された収容部３０の位置とを記憶手段３３に記憶させる部分」は、本件特許発明１の「各収容部の開封を検出する検出部」に相当するといえる。
　そうすると、本件特許発明１と引用発明２との一致点及び相違点は次のとおりである。
【一致点】
　物品を収容するための１つ以上の収容部を有するパッケージの前記１つ以上の収容部にそれぞれ対応する領域を通過するように破断可能な材質で形成される１つ以上の信号線へ信号を送出し、各収容部の開封を検出する検出部を備える、信号処理装置。
【相違点３】
　信号処理装置の構成要素について、本件特許発明１では、プログラムを実行するプロセッサと、前記プロセッサを機能させるための前記プログラムを記憶するメモリとを備えるのに対し、引用発明２では、そのような構成を備えるか不明な点。
【相違点４】
　検出部について、本件特許発明１では、送出した信号が各領域を経由して帰還するかに基づいて各収容部の開封を検出するものであって、１つ以上の信号線は、共通線から分岐する１つ以上の分岐線であり、前記１つ以上の分岐線それぞれは、１つ以上の収容部それぞれと一対一に対応し、前記検出部は、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出するものであるのに対し、引用発明２では、そのような構成を備えていない点。
（イ）判断
　まず、上記相違点４について検討すると、上記相違点４における本件特許発明１に係る構成は上記（１）ア．（イ）で検討した相違点２に係る構成と同じであるから、上記相違点２と同様に、相違点４に係る構成についても引用発明２及び文献２〜４及び６に記載された技術に基いて、当業者が容易に発明をすることができたものとはいえない。
　よって、上記相違点３について検討するまでもなく本件特許発明１は、引用発明２及び文献２〜４及び６に記載された技術に基いて、当業者が容易に発明をすることができたものとはいえない。
　また、本件特許発明４〜６及び９〜１１は、いずれも直接又は間接的に本件特許発明１を引用するものであるから、同様に引用発明２及び文献２〜４及び６に記載された技術に基いて、当業者が容易に発明をすることができたものではない。
イ．本件特許発明１２〜１４について
　本件特許発明１２〜１４は、結局上記（１）イ．で指摘したとおりのものとなるので、対比・判断については、上記ア．で示したとおりである。
ウ．小括
　以上のとおり、本件特許発明１、４〜６及び９〜１４は、引用発明２及び文献２〜４及び６に記載された技術に基いて、当業者が容易に発明をすることができたものではない。
（３）引用発明３を主たる引用発明とした場合
ア．本件特許発明１について
（ア）対比
　本件特許発明１と引用発明３とを対比すると、引用発明３の「マイクロプロセッサ３５０」は、本件特許発明１の「信号処理装置」に相当し、以下同様に、「プログラムを実行する部分」は「プログラムを実行するプロセッサ」に、「薬剤」は「物品」に、「ブリスタの配列」は「１つ以上の収容部」に、「ブリスタパッケージ」は「パッケージ」に、「各ブリスタ下の感知領域」は「１つ以上の収容部にそれぞれ対応する領域」に、「電流路」は「信号線」に、「特定の薬剤が分与されたということを示す」は「各収容部の開封を検出する」に、「検知部」は「検出部」に、「読み出し専用メモリおよびランダムアクセスメモリ」は「メモリ」に、それぞれ相当する。
　また、引用発明３の「所望の分与時間分解能およびバッテリの耐久性を考慮にいれてこれらに適合する走査回数の電流」は、いずれかの「感知領域」を通るものであり、「所定のパルス幅を有するパルス信号」といえるから、本件特許の請求項１に記載された「第１の収容部に対応する第１の領域を経由すべき所定のパルス幅を有するパルス信号である第１の信号」に相当する。
　また、引用発明３において、ある「走査」の「電流」を流した時刻から、「検知回路の別の部分中の抵抗器の両端の電圧の降下が発生することにより発生される信号を検知し、特定の薬剤が分与されたということを示す」までに、所定の遅延時間が経過することは、技術常識に照らして明らかであるから、「感知電流の存在如何により、検知回路の別の部分中の抵抗器の両端の電圧の降下が発生することにより発生される信号を検知した場合に、特定の薬剤が分与されたということを示す」は、本件特許発明１の「第１の信号の送出時刻から所定の遅延時間が経過した時刻に、前記第１の収容部が開封されたことを検出する」に相当する。
　そうすると、本件特許発明１と引用発明３との一致点及び相違点は次のとおりである。
【一致点】
　プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、各収容部の開封を検出する検出部と、
　メモリと、を備える、　
　信号処理装置。
【相違点５】
　検出部について、本件特許発明１では、送出した信号が各領域を経由して帰還するかに基づいて各収容部の開封を検出するものであって、１つ以上の信号線は、共通線から分岐する１つ以上の分岐線であり、前記１つ以上の分岐線それぞれは、１つ以上の収容部それぞれと一対一に対応し、前記検出部は、所定のパルス幅を有するパルス信号を前記共通線へ送出し、前記パルス信号の送出時刻から、前記１つ以上の分岐線それぞれに対して設定された遅延時間が経過した時刻それぞれのタイミングで前記分岐線ごとに前記パルス信号の帰還の有無を調べ、前記パルス信号が帰還しないことを認識した場合に、前記パルス信号の帰還が認識されなかった分岐線に対応する収容部が開封されたことを検出するものであるのに対し、引用発明３では、第１の収容部に対応する第１の領域を経由すべき所定のパルス幅を有するパルス信号である第１の信号の送出時刻から所定の遅延時間が経過した時刻に、前記第１の収容部が開封されたことを検出するものである点。
【相違点６】
　プロセッサ及びメモリについて、本件特許発明１では、プロセッサを検出部として機能させ、メモリはそのためのプログラムを記憶するのに対して、引用発明３では、プログラムを実行する部分を検知部として機能させるか不明であり、読み出し専用メモリ又はランダムアクセスメモリがそのためのプログラムを記憶するかどうかも不明である点。
（イ）判断
　上記相違点５について検討すると、上記相違点５おける本件特許発明１に係る構成は上記（１）ア．（イ）で検討した相違点２に係る構成と同じであるから、上記相違点２と同様に、上記相違点５に係る構成についても引用発明３及び文献２〜４及び６に記載された技術に基いて、当業者が容易に発明をすることができたものとはいえない。
　なお、相違点５に係る構成について、引用発明３には、第１の収容部に対応する第１の領域を経由すべき所定のパルス幅を有するパルス信号である第１の信号の送出時刻から所定の遅延時間が経過した時刻に、前記第１の収容部が開封されたことを検出する点についての記載があるが、１つ以上の信号線は、共通線から分岐する１つ以上の分岐線であり、前記１つ以上の分岐線それぞれは、１つ以上の収容部それぞれと一対一に対応し、前記検出部は、所定のパルス幅を有するパルス信号を前記共通線へ送出し、前記分岐線ごとに前記パルス信号の帰還の有無を調べる点については記載がなく、この点は文献２〜４及び６にも記載がないのであるから、上記（１）ア．（イ）記載の（ａ）〜（ｃ）に係る作用効果が期待できないことは、上記引用発明１又は２を主たる引用発明とした場合と同様である。　
　よって、相違点６について検討するまでもなく、本件特許発明１は、引用発明３及び文献２〜４及び６に記載された技術に基いて、当業者が容易に発明をすることができたものとはいえない。
　また、本件特許発明４〜６及び９〜１１は、いずれも直接又は間接的に本件特許発明１を引用するものであるから、同様に引用発明３及び文献２〜４及び６に記載された技術に基いて、当業者が容易に発明をすることができたものではない。
イ．本件特許発明１２〜１４について
　本件特許発明１２〜１４は、結局上記（１）イ．で指摘したとおりのものとなるので、対比・判断については、上記ア．で示したとおりである。
ウ．小括
　以上のとおり、本件特許発明１、４〜６及び９〜１４は、引用発明３及び文献２〜４及び６に記載された技術に基いて、当業者が容易に発明をすることができたものではない。
第５　取消理由通知で採用しなかった証拠について
　申立人は特許異議申立書において、甲第２号証（特開平１１−１１０６７１号公報）を、「第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の領域で断線が生じたことを検出すること」を公知の事項として示す文献として提示する。
　しかしながら、当該事項を公知技術として示す文献は他に上記文献２ないし４（甲第３ないし５号証）が存在していることから、取消理由通知では甲第２号証を採用せず、同等のものとして、上記文献２ないし４を引用文献として提示した。
　そして、仮に取消理由通知で甲第２号証を引用文献として提示したとしても、上記甲第３ないし５号証を引用文献として採用し、対比・判断した上記第４の３．で説示したのと同様に、本件特許発明は甲第２号証に記載の事項に基いて、当業者が容易に発明をすることができたものであるとは認められない。
第６　まとめ
　以上のとおりであるから、本件特許の請求項１、４〜６及び９〜１４に係る特許は、取消理由通知に記載した取消理由及び特許異議申立書に記載した特許異議申立理由によっては、取り消すことはできない。
　また、他に本件特許の請求項１、４〜６及び９〜１４に係る特許を取り消すべき理由を発見しない。
　さらに、本件訂正が認められることにより、本件特許の請求項２、３に係る特許は削除された。これにより、申立人による、請求項２、３に係る特許異議の申立ては、その対象が存在しないものとなり、不適法なものであって、その補正をすることができないものであるから、特許法第１２０条の８第１項で準用する同法第１３５条の規定により却下する。
　よって、結論のとおり決定する。
【異議決定日】
令和３年６月２９日（２０２１．６．２９）
【訂正の要旨】
審決（決定）の【理由】欄参照。
（５７）【特許請求の範囲】
　【請求項１】
　プログラムを実行するプロセッサと、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記１つ以上の信号線は、共通線から分岐する１つ以上の分岐線であり、
　
前記１つ以上の分岐線それぞれは、前記１つ以上の収容部それぞれと一対一に対応し、
　前記検出部は、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ
パルス
が帰
前記パルス信号の帰還が認識されなかった分岐線に対応する
　信号処理装置。
　【請求項２】（削除）
　【請求項３】（削除）
　【請求項４】
　前記検出部は、
前記１つ以上の収容部のうちの
前記第１の収容部に対応する分岐線を伝搬する前記パルス信号
　【請求項５】
　前記プロセッサは、前記検出部により各収容部について記録される開封時刻データを、通信インタフェースを介して外部装置へ出力するデータ出力部、としてさらに機能する、請求項１に記載の信号処理装置。
　【請求項６】
　前記検出部は、前記通信インタフェースを介して予め取得されるユーザの識別子に関連付けて、前記開封時刻データを記録する、請求項５に記載の信号処理装置。
　【請求項７】
　
プログラムを実行するプロセッサと、
　
物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
　前記物品は、医薬品であり、
　前記プロセッサは、予め取得される服用計画データに従って、各収容部に収納される医薬品を服用すべきタイミングをユーザへ報知する報知制御部、としてさらに機能する、
　
信号
　【請求項８】
　
プログラムを実行するプロセッサと、
　
物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する検出部、として前記プロセッサを機能させるための前記プログラム、を記憶するメモリと、を備え、
　
前記検出部は、第１の収容部に対応する第１の領域を経由すべき所定のパルス幅を有するパルス信号である第１の信号の送出時刻から所定の遅延時間が経過した時刻に、前記第１の信号が前記第１の領域を経由して帰還しないことを認識した場合に、前記第１の収容部が開封されたことを検出し、
　前記物品は、医薬品であり、
　前記プロセッサは、前記検出部により各収容部について記録される開封時刻データを用いて判定される前記医薬品の服用ミスをユーザへ報知する報知制御部、としてさらに機能する、
　
信号
　【請求項９】
　請求項１に記載の信号処理装置と、
　前記信号処理装置を前記１つ以上の信号線に接続させるための１つ以上の接続端子と、
　を備える開封検出モジュール。
　【請求項１０】
　請求項１に記載の信号処理装置と、
　前記信号処理装置により記録されるデータを外部装置へ送信する通信インタフェースと、
　を備える開封検出モジュール。
　【請求項１１】
　前記通信インタフェースは、無線通信インタフェースであり、
　前記開封検出モジュールは、前記無線通信インタフェースにより使用されるアンテナ、をさらに備える、
　請求項１０に記載の開封検出モジュール。
　【請求項１２】
　信号処理装置のプロセッサを、
　物品を収容するための１つ以上の収容部を有するパッケージの前記１つ以上の収容部にそれぞれ対応する領域を通過するように破断可能な材質で形成される１つ以上の信号線へ信号を送出し、送出した信号が各領域を経由して帰還するかに基づいて各収容部の開封を検出する
検出部として機能させるためのプログラムであって、
　
前記１つ以上の信号線は、共通線から分岐する１つ以上の分岐線であり、
　
前記１つ以上の分岐線それぞれは、前記１つ以上の収容部それぞれと一対一に対応し、
　
前記プログラムは、前記プロセッサを、
　
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ
パルス
が帰
前記パルス信号の帰還が認識されなかった分岐線に対応する
　として機能させるためのプログラム。
　【請求項１３】
　物品を収容するための１つ以上の収容部を有するパッケージの前記１つ以上の収容部にそれぞれ対応する領域を通過するように破断可能な材質で形成される１つ以上の信号線へ信号を送出することと、
　送出した信号が各領域を経由して帰還するかに基づいて、各収容部の開封を検出することと、
　を含み、
　
前記１つ以上の信号線は、共通線から分岐する１つ以上の分岐線であり、
　
前記１つ以上の分岐線それぞれは、前記１つ以上の収容部それぞれと一対一に対応し、
　各収容部の開封を検出する際に、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ
パルス
が帰
前記パルス信号の帰還が認識されなかった分岐線に対応する
　信号処理装置のプロセッサにより実行される開封検出方法。
　【請求項１４】
　物品を収容するための１つ以上の収容部を有するパッケージと、
　前記パッケージの前記１つ以上の収容部にそれぞれ対応する領域を通過するように、破断可能な材質で形成される１つ以上の信号線と、
　前記１つ以上の信号線へ信号を送出し、送出した信号が各領域を経由して帰還するかに基づいて、各収容部の開封を検出する開封検出モジュールと、
　を備え、
　
前記１つ以上の信号線は、共通線から分岐する１つ以上の分岐線であり、
　
前記１つ以上の分岐線それぞれは、前記１つ以上の収容部それぞれと一対一に対応し、
　前記開封検出モジュールは、
所定のパルス幅を有するパルス信号を前記共通線へ送出し、前記パルス
、前記１つ以上の分岐線それぞれに対して設定された
それぞれのタイミングで前記分岐線ごとに前記パルス信号の帰還の有無を調べ
パルス
が帰
前記パルス信号の帰還が認識されなかった分岐線に対応する
　物品包装材。